(57)【要約】 【課題】画像信号の入力がない状態となっても、その間何らかの情報を提供して観察者に無駄を感じさせることのない画像表示装置の提供。【解決手段】画像信号が入力される画像信号入力手段６１と、入力される画像信号に基づいて、画像を表示する画像表示手段７と、画像信号入力手段６１及び画像表示手段７を制御する制御手段６とを備えた画像表示装置において、制御手段６は、画像表示手段７に表示させる動画情報が記憶された動画情報記憶手段６８と、画像信号入力手段６１に入力される画像信号を監視する画像信号監視手段６６と、画像信号監視手段６６で画像信号の入力が停止されたと判定されたら、動画情報記憶手段６８に記憶された動画情報を読み出して再生する動画情報再生手段６７とを備えている。【選択図】図２
2007256757.tif 000002
【特許請求の範囲】
【請求項１】
画像信号が入力される画像信号入力手段と、入力される画像信号に基づいて画像を表示する画像表示手段と、前記画像信号入力手段及び前記画像表示手段を制御する制御手段とを備えた画像表示装置であって、
前記制御手段は、
前記画像表示手段に表示させる動画情報が記憶された動画情報記憶手段と、
前記画像信号入力手段に入力される画像信号を監視する画像信号監視手段と、
前記画像信号監視手段で画像信号の入力が停止されたと判定されたら、前記動画情報記憶手段に記憶された動画情報を読み出して再生する動画情報再生手段とを備えていることを特徴とする画像表示装置。
【請求項２】
請求項１に記載の画像表示装置において、
当該画像表示装置には、ネットワークを介して動画情報を配信するコンテンツ配信サーバが接続され、
前記制御手段は、
前記コンテンツ配信サーバから動画情報が配信されると、前記動画情報記憶手段に記憶された動画情報を更新する動画情報更新手段を備えていることを特徴とする画像表示装置。
【請求項３】
画像信号が入力される画像信号入力手段と、入力される画像信号に基づいて画像を表示する画像表示手段と、前記画像信号入力手段及び前記画像表示手段を制御する制御手段とを備えた画像表示装置上で実行される画像表示方法であって、
前記制御手段が、
前記画像信号入力手段に入力される画像信号監視ステップと、
画像信号の入力が停止されたと判定されたら、予め動画情報が記憶された動画情報記憶手段から動画情報を読み出して再生する動画情報再生ステップとを実行することを特徴とする画像表示方法。
【請求項４】
請求項３に記載の画像表示方法において、
前記画像表示装置には、ネットワークを介して動画情報を配信するコンテンツ配信サーバが接続され、
前記制御手段が、
前記コンテンツ配信サーバが動画情報が配信されると、前記動画情報記憶手段に記憶された動画情報を更新する動画情報更新ステップを実行することを特徴とする画像表示方法。
【請求項５】
画像信号が入力される画像信号入力手段と、入力される画像信号に基づいて画像を表示する画像表示手段と、前記画層信号入力手段及び前記画像表示手段を制御する制御手段とを備えた画像表示装置の前記制御手段で実行されるプログラムであって、
前記制御手段が、請求項３又は請求項４に記載の画像表示方法を実行することを特徴とするプログラム。
【請求項６】
請求項５に記載のプログラムを記憶したことを特徴とするコンピュータ読み取り可能な記録媒体。
【発明の詳細な説明】
【技術分野】
【０００１】
本発明は、画像表示装置、画像表示方法、プログラム、及び記録媒体に関する。
【背景技術】
【０００２】
例えば、プロジェクタ等の画像表示装置は、伝送形式の異なる複数の信号入力端子を備え、いずれかの信号入力端子にコンピュータや、ＤＶＤ再生装置等の映像再生装置を接続し、これらの機器から出力された画像信号に基づいて、画像表示を行う（例えば、特許文献１参照）。
このような画像表示装置においては、接続されているコンピュータ等の電源を切ったり、接続ケーブルを外したり、何も接続されていない信号入力端子に切り替えたりした場合、画像表示装置の制御手段では、画像信号の入力がないと判定し、青色等の単色背景画像の表示を行ったり、メーカのロゴ等を表示して、「映像ソースの入力がありません」等のメッセージを表示することが多い。
【０００３】
【特許文献１】特開２００３−２７４３１６号公報
【発明の開示】
【発明が解決しようとする課題】
【０００４】
しかしながら、画像信号の入力がない状態において、単色背景画像等を表示させる従来の技術では、その間観察者が表示画像を観察していても、何ら情報が得られる訳ではない。特に、プロジェクタ等のように１台の表示装置に対してたくさんの観察者が存在する場合には、大勢の観察者に無為に過ごす時間を生じさせるという問題がある。
【０００５】
本発明の目的は、画像信号の入力がない状態となっても、その間何らかの情報を提供して観察者に無駄を感じさせることのない画像表示装置、画像表示方法、プログラム、及び記録媒体を提供することにある。
【課題を解決するための手段】
【０００６】
本発明に係る画像表示装置は、
画像信号が入力される画像信号入力手段と、入力される画像信号に基づいて、画像を表示する画像表示手段と、前記画像信号入力手段及び前記画像表示手段を制御する制御手段とを備えた画像表示装置であって、
前記制御手段は、
前記画像表示手段に表示させる動画情報が記憶された動画情報記憶手段と、
前記画像信号入力手段に入力される画像信号を監視する画像信号監視手段と、
前記画像信号監視手段で画像信号の入力が停止されたと判定されたら、前記動画情報記憶手段に記憶された動画情報を読み出して再生する動画情報再生手段とを備えていることを特徴とする。
【０００７】
ここで、動画情報記憶手段に記憶させる動画情報としては、例えば、コマーシャル等の動画コンテンツが考えられる。
この発明によれば、コンピュータ等からの画像信号の入力が停止された場合、動画情報再生手段により、動画情報記憶手段に記憶された動画情報が自動的に再生されることとなるので、画像信号の入力が停止した状態であっても、観察者は動画コンテンツを観察することができるため、無駄に感じることもない。
特に、画像信号の入力停止時に再生される動画コンテンツがコマーシャルのようなものである場合、画像表示装置を広告媒体として機能させることができるため、コマーシャル提供者に画像表示装置の価格の一部を宣伝広告料として負担してもらい、その分画像表示装置の価格を低減して、顧客に提供することができるというビジネスモデル的な効果を期待できる。
【０００８】
本発明では、当該画像表示装置には、ネットワークを介して動画情報を配信するコンテンツ配信サーバが接続され、
前記制御手段は、
前記コンテンツ配信サーバから動画情報が配信されると、前記動画情報記憶手段に記憶された動画情報を更新する動画情報更新手段を備えているのが好ましい。
ここで、コンテンツ配信サーバから配信される動画情報は、前述したコマーシャルのような動画コンテンツであるのが好ましい。
この発明によれば、画像信号入力停止時に表示される動画コンテンツが一定期間毎に更新されるようなシステムとして利用することができるため、コマーシャルを表示する画像表示装置として、その広告効果を一層向上させることができる。
【０００９】
本発明は、前述した画像表示装置だけでなく、画像表示装置上で実行される画像表示方法としても成立するものであり、具体的には、本発明に係る画像表示方法は、
画像信号が入力される画像信号入力手段と、入力される画像信号に基づいて画像を表示する画像表示手段と、前記画像信号入力手段及び前記画像表示手段を制御する制御手段とを備えた画像表示装置上で実行される画像表示方法であって、
前記制御手段が、
前記画像信号入力手段に入力される画像信号監視ステップと、
画像信号の入力が停止されたと判定されたら、予め動画情報が記憶された動画情報記憶手段から動画情報を読み出して再生する動画情報再生ステップとを実行することを特徴とする。
この発明によれば、前記と同様の作用及び効果を享受できる。
【００１０】
また、本発明は、前述した画像表示方法を、画像表示装置上で実行させるプログラム、及びこのプログラムを記録したコンピュータ読み取り可能な記録媒体としても成立するものであり、これらの発明によれば、前記と同様の作用及び効果を享受できる。
【発明を実施するための最良の形態】
【００１１】
以下、本発明の実施形態を図面に基づいて説明する。
図１には、本発明の実施形態に係るシステム１が示され、このシステム１は、コンテンツ配信サーバ２と、このコンテンツ配信サーバ２とインターネット、イントラネット等のネットワーク３を介して接続されるプロジェクタ４とを備えて構成される。
コンテンツ配信サーバ２は、図１では便宜的に１台のみ示しているが、ネットワーク３上に接続される複数のプロジェクタ４に対して、コマーシャル情報等の動画コンテンツを配信するサーバであり、プロジェクタデータベース２１と、コンテンツ配信手段２２と、動画コンテンツ記憶手段２３とを備えて構成される。
【００１２】
プロジェクタデータベース２１は、ネットワーク３に接続されている各プロジェクタ４のＩＰアドレスが蓄積されている。
コンテンツ配信手段２２は、ネットワーク３に接続されているプロジェクタ４を特定して、動画コンテンツを配信する部分であり、配信するプロジェクタ４の特定は、プロジェクタデータベース２１を探索し、ＩＰアドレスを取得する事により行われる。
動画コンテンツ記憶手段２３は、コンテンツ配信手段２２によって配信する動画コンテンツが記憶される部分であり、コンテンツ配信サーバ２を構成する演算処理装置と接続されるハードディスク等のストレージから構成されている。この動画コンテンツ記憶手段２３に記憶される動画コンテンツとしては、例えば、プロジェクタ４等のコマーシャルに係る動画コンテンツである。
【００１３】
プロジェクタ４は、ネットワーク３に接続されているとともに、コンピュータやＤＶＤ再生装置等の画像出力装置５と接続され、通常は、画像出力装置５から出力された画像信号に基づいて、スクリーンＳＣ上に画像を表示する。
このプロジェクタ４は、高圧水銀ランプ等の光源と、光源から射出された光束を複数の色光に分離する色分離光学系と、分離された各色光について、入力された画像信号に応じて光変調を行う光変調装置としての液晶パネルと、各液晶パネルで変調された色光を合成するダイクロイックプリズム等の色合成光学装置と、合成された光束を拡大投射する投射光学装置とを備えた三板式のプロジェクタとして構成される。
【００１４】
このようなプロジェクタ４の動作制御は、図２に示されるように、入力端子ＶＩＤＥＯ、ＰＣ等から入力される画像信号の画像処理を行う制御手段６によって行われ、この制御手段６は、画像信号入力手段６１、ＲＧＢ／色差信号変換手段６２、デコーダ６３、画像処理手段６４、液晶パネル駆動手段６５、画像信号監視手段６６、動画情報再生手段６７、動画情報記憶手段６８、及び動画情報更新手段６９を備えて構成される。
画像信号入力手段６１は、入力端子ＶＩＤＥＯ、ＰＣ等を介して画像信号が入力される部分である。この画像信号入力手段６１には、入力端子ＶＩＤＥＯを介して例えば、ＤＶＤ再生装置等から出力された動画コンテンツ等の映像信号が入力され、入力端子ＰＣを介して例えば、コンピュータ等から出力されたプレゼンテーション画像等の画像信号が入力される。
【００１５】
ＲＧＢ／色差信号変換手段６２は、入力端子ＰＣから入力されたＲＧＢ信号をＹＵＶ信号に変換する部分であり、変換されたＹＵＶ信号は画像処理手段６４に出力される。
デコーダ６３は、入力端子ＶＩＤＥＯから入力された映像信号をプロジェクタ４に適合する形式に変換する部分であるとともに、本実施形態では、ＭＰＥＧ２形式等の所定の圧縮形式で圧縮された映像コンテンツのデコードも行い、デコードされた画像信号は、画像処理手段６４に出力される。
【００１６】
画像処理手段６４は、変換された画像信号の色調整、白黒伸長処理等を行った後、ＹＵＶ信号をＲＧＢ信号に再度変換し、さらに、画像表示手段としての液晶パネル７の個体差に応じたＶ−Ｔγ補正やフレームレート変換を行う部分であり、変換された画像信号は、液晶パネル駆動手段６５に出力される。
液晶パネル駆動手段６５は、画像処理手段６４で処理された画像信号に基づいて、液晶パネル７を駆動する部分であり、これらの一連の処理によって入力端子ＶＩＤＥＯ、ＰＣ等から入力された画像信号に基づいて、液晶パネル７上に画像が形成され、スクリーンＳＣ上に投射画像が拡大表示される。
【００１７】
画像信号監視手段６６は、画像信号入力手段６１に入力される画像信号を監視する部分であり、画像信号入力手段６１への画像信号の入力が行われているか、入力が停止しているかの判定を行い、その結果を動画情報再生手段６７に出力する。
動画情報再生手段６７は、画像信号監視手段６６からの判定結果に応じて、動画情報記憶手段６８に記憶された動画コンテンツを読み出して再生を指示する部分であり、読み出された動画コンテンツは、デコーダ６３でデコードされた後、画像処理手段６４で処理され、液晶パネル７上に表示される。
【００１８】
動画情報記憶手段６８は、Ｅ２ＰＲＯＭ等の書き換え可能なストレージから構成され、この動画情報記憶手段６８には、コマーシャル等の動画コンテンツがＭＰＥＧ２形式等の所定の圧縮形式で圧縮されて記憶されている。
動画情報更新手段６９は、プロジェクタ４のネットワーク接続端子ＮＥＴＷＯＲＫを介して、コンテンツ配信サーバ２から配信された動画コンテンツを受信し、動画情報記憶手段６８に記憶することにより、動画コンテンツの更新を行う部分である。
【００１９】
次に、前述したプロジェクタ４の作用を図３に示されるフローチャートに基づいて説明する。
図１に示されるように、プロジェクタ４にＰＣ等の画像出力装置５が接続され、画像出力装置５から画像信号がプロジェクタ４に入力されている状態において、画像信号監視手段６６は、画像信号入力手段６１に入力される画像信号を監視し、画像信号の入力が停止しているか否かを判定する（処理Ｓ１）。
画像信号の入力が停止していると判定されたら、動画情報再生手段６７は、動画情報記憶手段６８に記憶された動画コンテンツを読み出し（処理Ｓ２）、読み出された動画コンテンツを、デコーダ６３でデコードさせる再生指示を行い（処理Ｓ３）、デコーダ６３では、この指示に基づいて、動画コンテンツのデコードを行う（処理Ｓ４）。
【００２０】
画像処理手段６４は、デコーダ６３でデコードされた画像信号に所定の画像処理を行った後、液晶パネル駆動手段６５に出力し、液晶パネル駆動手段６５では、これに基づいて液晶パネル７を駆動し、動画コンテンツを表示させる（処理Ｓ５）。
動画情報の表示中、画像信号監視手段６６は、入力端子ＶＩＤＥＯ、ＰＣからの画像信号の入力が復帰したかどうかを監視し（処理Ｓ６）、停止状態にある場合には、動画コンテンツの表示を継続し、復帰状態にある場合には、動画情報再生手段６７による再生を停止させ、入力端子ＶＩＤＥＯ、ＰＣからの画像信号に基づく表示に切り替える。
【００２１】
次に、コンテンツ配信サーバ２からの動画コンテンツの配信及びプロジェクタ４における動画情報の更新について、図４に示されるフローチャートに基づいて説明する。
コンテンツ配信サーバ２のコンテンツ配信手段２２は、プロジェクタデータベース２１を探索して、動画コンテンツを配信するプロジェクタ４を特定する（処理Ｓ７）。
配信先のプロジェクタ４が特定されたら、コンテンツ配信手段２２は、配信する動画コンテンツを、ネットワーク３を介して、プロジェクタ４に送信する（処理Ｓ８）。
この間、プロジェクタ４の動画情報更新手段６９は、ネットワーク接続端子ＮＥＴＷＯＲＫにコンテンツ配信があったかどうかを監視し（処理Ｓ９）、コンテンツ配信サーバ２から送信された動画コンテンツの受信を検出したら、動画情報記憶手段６８に新たに受信した動画コンテンツを書き込んで、動画コンテンツの更新を行う。
【００２２】
このようなシステムを採用することにより、コンテンツ配信サーバ２から適宜新たな動画コンテンツが配信され、プロジェクタ４で入力端子ＶＩＤＥＯ、ＰＣ等への画像信号の入力が停止した場合、適宜更新された動画コンテンツが自動的にプロジェクタ４の投射画像として表示されるため、画像信号の入力が停止状態にあっても、観察者に無駄を感じさせることがない。
また、コマーシャル等の動画コンテンツを適宜配信することにより、プロジェクタ４自体が広告媒体としても機能することとなるので、コマーシャル提供者が広告宣伝料としてプロジェクタ４の価格の一部を負担することで、プロジェクタ４の市場価格を低減させることが期待できる。
【００２３】
なお、本発明は前述の実施形態に限定されるものではなく、本発明の目的を達成できる範囲での変形、改良等は本発明に含まれるものである。
前記実施形態では、プロジェクタ４において、画像信号の入力が停止した際、動画コンテンツを自動的に表示するようにしていたが、本発明はこれに限られず、液晶ディスプレイ、プラズマディスプレイ等の薄型大画面の画像表示装置についても本発明を採用してもよい。
前記実施形態では、コンテンツ配信サーバ２は、コマーシャル等の動画コンテンツを配信するように構成していたが、これに限らず、通常の動画像コンテンツや、文字情報を表示させる動画コンテンツを配信するようにしてもよい。
その他、本発明の実施の際の具体的な構造及び形状等は、本発明の目的を達成できる範囲で他の構造等としてもよい。
【図面の簡単な説明】
【００２４】
【図１】本発明の実施形態に係るシステムの構成を表す模式図。
【図２】前記実施形態における画像表示装置の制御系を表すブロック図。
【図３】前記実施形態の作用を説明するためのフローチャート。
【図４】前記実施形態における動画情報の更新を説明するためのフローチャート。
【符号の説明】
【００２５】
２…コンテンツ配信サーバ、３…ネットワーク、４…プロジェクタ、６…制御手段、７…液晶パネル、６１…画像信号入力手段、６２…ＲＧＢ／色差信号変換手段、６３…デコーダ、６４…画像処理手段、６５…液晶パネル駆動手段、６６…画像信号監視手段、６７…動画情報再生手段、６８…動画情報記憶手段、６９…動画情報更新手段
【図１】
2007256757.tif 000003
【図２】
2007256757.tif 000004
【図３】
2007256757.tif 000005
【図４】
2007256757.tif 000006